(57)【要約】【課題】堀座卓において、天板をセンター天板とサイド天板に分割して人の足の出し入れを容易にするとともに、サイド天板を動かす場合にも、サイド天板上の物品を他の場所へ置きかえる必要がないようにすること。【解決手段】天板２は凹所開口部の中央部上方を覆うセンター天板２０と２つのサイド天板３０，３０を有し、各サイド天板３０，３０は、センター天板２０と同一平面を形成する常用位置と、センター天板２０に対して水平姿勢を維持したまま上前方に平行移動する平行上動位置との間で移動可能としている。そして、凹所１内に出入りするときには、サイド天板３０を上前方に移動させることで出入り部分の上方を大きく開放できる（出入りがし易い）一方、サイド天板３０が水平姿勢を維持したまま移動するので、該サイド天板３０上に物品を置いたままでサイド天板３０を移動できるようにしている。【選択図】  図２
0003137896.tif 000002
【実用新案登録請求の範囲】
【請求項１】
床下に形成された矩形箱状の凹所（１）と、該凹所（１）の上部にあって使用状態で前記凹所（１）の開口面積とほぼ同面積の天板（２）をもつテーブル体（Ａ又はＢ）とを有してなる堀座卓であって、
前記天板（２）は、前記凹所（１）の開口部の中央部上方を覆うセンター天板（２０）と、該センター天板（２０）の対向側縁（２０ａ，２０ｂ）に連続する２つのサイド天板（３０，３０）を有しているとともに、
前記各サイド天板（３０，３０）は、前記センター天板（２０）と同一平面を形成する常用位置と、前記センター天板（２０）に対して水平姿勢を維持したまま上前方に平行移動する平行上動位置との間で移動可能としていることを特徴とする堀座卓。
【考案の詳細な説明】
【技術分野】
【０００１】
本願考案は、床下に形成された矩形箱状の凹所とテーブル体とを有した堀座卓に関するものである。
【背景技術】
【０００２】
通常の座卓は、フラットな床面上に設置し、その回りに人が座って使用するものであるので、天板高さを比較的低く設定（例えば３３０〜３４０ｍｍ程度の高さ）している。従って、座卓の回りに座る場合は、正座をしたりあぐら座りをするが、いずれも足が窮屈になる。特に、足の不自由な人では、足を深く曲げるのが苦痛であり、座卓の回りに長時間座っていることが困難となる。そこで、近年では、足を深く曲げなくても座れる堀座卓が開発されている。
【０００３】
図７及び図８には、従来の一般的な堀座卓を示しているが、この従来の堀座卓は、床下に形成された矩形箱状の凹所１の上部に、天板６２を４本の脚５３，５３・・で支持した座卓Ｃを設置して構成されている。尚、凹所１は堀炬燵となるものである。
【０００４】
凹所１は、所定容積の箱体１１で形成されており、該箱体１１の床面高さ部分に矩形の開口部１２を有している。開口部１２の周縁部には框１３が設けられている。箱体１１の底部付近には簀の子１４が設けられている。簀の子１４の下方の空間部には電気ヒータ１５が設置されており、寒期には堀炬燵として使用される。
【０００５】
この凹所１の大きさは、各種の規格があるが、例えば開口部１２の大きさ（框１３の内径寸法）が６９０mm×１２７０mm程度で、深さ（簀の子１４までの有効深さ）が３４０mm程度のものがある。
【０００６】
座卓Ｃは、天板６２の下面４隅にそれぞれ脚５３，５３・・を取付けたものである。天板６２は、１枚もので大きさが不変のものである。又、この天板６２は、各脚５３，５３・・が框１３の上面４隅に固定される関係で、該框１３の外周とほぼ同大きさの面積（例えば７９０mm×１３７０mm程度）を有している。従って、天板６２の外周縁は、凹所１の開口部１２（框１３）の内周縁より若干幅ずつ（例えば５０mm程度ずつ）外側にはみ出している。
【０００７】
又、この座卓では、図８に鎖線図示するように人が凹所１内に足を差し入れて座った状態で天板６２の上面が丁度よい高さ（例えば天板上面が床面Ｆから３３０〜３４０mm程度の高さ）に位置している。従って、床面Ｆ（框１３の上面）から天板６２の下面までの高さＨは、２５０〜２６０mm程度となる。
【０００８】
【特許文献１】登録第３１２８３５５号実用新案公報
【考案の開示】
【考案が解決しようとする課題】
【０００９】
ところが、図７及び図８に示す従来の堀座卓では、天板６２が凹所開口部１２の面積よりやや大きい面積を有し（天板の外周縁部が開口部の内周面より外側にはみ出している）、且つ天板６２の外周部下面と凹所開口部１２の周縁部上面（框１３の上面）との間の高さＨが比較的低い（２５０〜２６０mm程度）ので、人が凹所１内に出入りするときに天板６２の外周縁部が邪魔になり、不自由な姿勢で足を出し入れしなければならなかった。即ち、凹所１内に足を差し入れるには、凹所開口部１２の近くに一旦座り、天板６２の外端下面と開口部１２の縁部間の開口内に横方向から足を差し込んで降ろす、という動作が必要となる。
【００１０】
従って、従来の堀座卓では、凹所１内に足を出し入れするのが面倒であり、特に高齢者（足が弱っている人が多い）や身障者には使用しにくいものであった。
【００１１】
尚、堀座卓において、予め天板の幅を狭くしておくと、凹所（堀炬燵）内への出入りが容易になるが、天板の幅が狭いと座卓としての有効面積が不十分であるとともに、凹所内に入った姿勢で身体から天板の端縁までの距離が離れ過ぎて使い勝手が悪くなる。
【００１２】
そこで、本願考案者は、天板の対向側縁部を所定幅ずつ出し入れし得るようにすることにより、凹所（堀炬燵）内に足を容易に出し入れできるようにするとともに、使用状態において十分な天板面積を確保し得るようにした堀座卓を提供することを目的として、さきに図９及び図１０に例示するような堀座卓を実用新案登録している（上記特許文献１）。この先登録の堀座卓は、例えば図９に示す実施例のものは天板２を中央部のセンター天板２０と両端縁部のサイド天板３０，３０とに区分し、サイド天板３０を図９に示すように前後方向に出し入れ可能にしたり（引き出した状態を符号３０′で示す）、あるいは図１０に示すようにサイド天板３０を丁番４０を中心として前方へ回動可能（折畳み可能）としたりするものであり、そのことによって堀座卓への入口開口を大きくしようとするものである。尚、各サイド天板３０，３０を外側に延出させた通常使用姿勢を符号３０′，３０′で示している。
【００１３】
ところで、この先登録の堀座卓のようにすれば堀座卓への入口開口を大きくすることきできるが、これらの方法（図９、図１０）では、もし天板２のセンター天板２０やサイド天板３０，３０上に何らかの物品（たとえば茶器や菓子皿等）が置かれていた場合には、それらの物品を一旦どこかへ移さなければサイド天板３０の出し入れあるいは折り畳み操作ができないものであった。
【００１４】
そこで、本願考案は、天板の対向する両端側にあるサイド天板の上に種々の物品を載せたままでも当該サイド天板を前方（天板中央側）へ移動させて堀座卓の凹所内への入口開口を大きく開放させることのできるようにした堀座卓を提供することを目的とするものである。
【課題を解決するための手段】
【００１５】
本願考案は、上記課題を解決するための手段として次の構成を有している。尚、本願考案は、堀座卓を対象にしている。
【００１６】
本願考案の堀座卓は、床下に形成された矩形箱状の凹所と、該凹所の上部にあって使用状態で凹所の開口面積とほぼ同面積の天板をもつテーブル体とを有して構成されている。尚、上記凹所は堀炬燵として使用可能なものである。
【００１７】
そして、本願考案の堀座卓では、その天板として、凹所の開口部の中央部上方を覆うセンター天板と、該センター天板の対向側縁に連続される２つのサイド天板を有したものを使用している。即ち、天板は、１つのセンター天板と２つのサイド天板とに３分割されたものを使用している。尚、天板として片側に２人掛けし得るような長方形（例えば６９０mm×１２７０mm程度）のものでは、天板の長辺側両端部にそれぞれサイド天板を設けてもよく（図１〜図４の実施例）、あるいは天板の短辺側両端部にそれぞれサイド天板を設けてもよい（図５〜図６の実施例）。
【００１８】
又、各サイド天板は、センター天板と同一平面を形成する常用位置と、センター天板に対して水平姿勢を維持したまま上前方に平行移動する平行上動位置との間で移動可能とされている。
【００１９】
各サイド天板の移動方式の一例としては、後述するような平行リンク機構を使用したものが採用できる。
【００２０】
そして、本願考案の堀座卓では、サイド天板をセンター天板に対して水平姿勢を維持したまま平行上動位置に移動させると、その移動たせたサイド天板における凹所開口部の側縁部の直上方がかなり大きく開放される。このように、サイド天板を水平姿勢を維持したまま平行上動位置に移動させた状態では、天板の側縁部（サイド天板）が凹所の中心側に移動しているので、凹所内に足を差し入れる際あるいは凹所内から出る際に、足の出し入れが足を延ばしたまま（例えば直立姿勢のまま）で行える。このとき、凹所内に適宜の踏み台を設けておけば、一層スムーズに出入りができる。又、各サイド天板をセンター天板に対して常用位置に移動させると、天板が凹所の開口部のほぼ全面を覆う面積まで大きくなり、通常のテーブルとして使用できる。
【考案の効果】
【００２１】
本願考案の堀座卓は、上記のように、天板を３分割して各サイド天板をセンター天板に対して平行上動位置（サイド天板がセンター天板側に移動して天板面積が小さくなる）と常用位置（サイド天板がセンター天板と同一平面に位置して天板面積が大きくなる）との間で移動させ得るようになっている。そして、凹所内に出入りする際には、出入りしようとする側のサイド天板を平行上動位置側に移動させることにより、出入りする側の凹所開口部の直上方を大きく開放できる。
【００２２】
従って、本願考案の堀座卓では、凹所内に出入りする（足を抜き差しする）ときに、サイド天板を平行上動位置に位置させることで天板が邪魔にならなくなり、凹所内にスムーズに出入りすることができるという効果がある。特に、高齢者（足が弱っている人が多い）や身障者であっても、出入りが容易になる。又、このように、各サイド天板をセンター天板側に平行移動させ得るようにしたものであっても、天板の使用時には、各サイド天板を常用位置に移動させることにより、天板を通常面積の広さで使用できる。
【００２３】
さらに、本願考案の堀座卓では、各サイド天板が水平姿勢を保持したまま上前方（又は下後方）へ平行移動し得るものであるから、各サイド天板の上面に各種物品（たとえば茶器や菓子皿等）が載置されていても、それらの物品を一時的に他所へ移動させる必要がないという効果がある。
【実施例】
【００２４】
次に図１〜図６を参照して本願の実施例を説明すると、図１〜図４には第１実施例、図５〜図６には第２実施例の堀座卓がそれぞれ示されている。
【００２５】
まず、第１〜第２の各実施例の堀座卓における共通部分について説明すると、各実施例の堀座卓は、図１〜図２（又は図５〜図６）に示すように、床下に形成された矩形箱状の凹所１と、天板２を支柱６，６・・で支持してなるテーブル体（Ａ又はＢ）とで構成されている。
【００２６】
凹所１は堀炬燵として使用し得るもので、この各実施例では図７及び図８に示す従来例のものとほぼ同構造のものを採用している。即ち、この凹所１は、所定容積の箱体１１で形成されており、該箱体１１の床面高さ部分に矩形の開口部１２を有している。開口部１２の周縁部には框１３が設けられている。箱体１１の底部付近には簀の子１４が設けられている。簀の子１４の下方の空間部には電気ヒータ（図示省略）が設置可能であり、寒期には堀炬燵として使用できる。
【００２７】
この凹所１は、この各実施例では、開口部１２の大きさ（框１３の内径寸法）が６９０mm×１２７０mm程度で、深さ（簀の子１４までの有効深さ）が３４０mm程度のものを使用している。尚、この凹所１の大きさ（特に平面視の面積）は、上記実施例のものに限定されるものではなく、適宜設計変更可能である。
【００２８】
以下、テーブル体（Ａ又はＢ）について、各実施例ごとに説明する。
【００２９】
［図１〜図４に示す第１実施例］
この第１実施例のテーブル体Ａは、凹所１の四隅にそれぞれ支柱６，６・・を立設し、長手方向に位置する一対の支柱６，６（２組ある）の上端部にそれぞれ横架材７を架設しているとともに、該各横架材７，７上に天板２を設置している。尚、この第１実施例では、各支柱６，６・・における短手方向に位置する一対の支柱６，６間には、凹所１内に人が出入りし易くするために横架材（邪魔物となる）を架設していない。
【００３０】
この天板２の面積は、上記開口部１２の大きさ（６９０mm×１２７０mm程度）と同大きさ（６９０mm×１２７０mm程度の長方形）のものが使用されている。又、この天板２は、その上面が床面から３３０〜３４０mm程度の高さに位置するように設置している。
【００３１】
この第１実施例（図１〜図４）のテーブル体Ａに使用されている天板２は、長手方向を略３等分した１つのセンター天板２０と、該センター天板２０の対向側縁２０ａ，２０ｂに隣接する２つのサイド天板３０，３０とで構成されている。この第１実施例では、センター天板２０は開口部１２の短辺長さと同幅（６９０mm）で長辺方向の長さが４１０mmの面積のものを使用し、各サイド天板３０，３０はそれぞれ開口部１２の短辺長さと同幅（６９０mm）で長辺方向の長さが４３０mmの面積のものを使用している。尚、このサイド天板３０及びセンター天板２０の寸法は、適宜に設定できるものである。
【００３２】
そして、この第１実施例のテーブル体Ａでは、各サイド天板３０，３０が、図１及び図３に示すようにセンター天板２０と同一平面を形成する常用位置と、図２及び図４に示すようにセンター天板２０に対して水平姿勢を維持したまま上前方に平行移動する平行上動位置との間で移動し得るようになっている。尚、センター天板２０と各サイド天板３０，３０の突き合わせ部分は、角度４５°の傾斜面となっており、センター天板２０と各サイド天板３０，３０が同一平面に位置するときには、図１及び図３に示すように各分割天板２０，３０間に隙間ができないようにしている。
【００３３】
第１実施例の堀座卓において、各サイド天板３０，３０を上前方（又は下後方）に平行移動させる機構について説明する。尚、図３及び図４は、テーブル体Ａの長手方向の側面を示している。
【００３４】
長手方向に位置する一対の支柱６，６の上端部間には、それぞれ横架材７（一対ある）が架設されている。該各横架材７，７の長手方向中央部には、それぞれ受台８（一対ある）を介してセンター天板２０の両端部が固定されている。従って、短手方向に位置する一対の支柱６，６間に横架材がなくても、テーブル体Ａ全体がセンター天板２０により安定姿勢で組付けられている。
【００３５】
両側の各サイド天板３０，３０は、以下に説明する平行リンク機構Ｘ，Ｘによってそれぞれ水平姿勢を維持したまま上前方（及び下後方）へ平行移動し得るようになっている。尚、以下の説明において、上前方とは、この掘座卓に着座した位置から見た方向であり、それぞれ天板２の中央側上方となるものである。
【００３６】
上記の各平行リンク機構Ｘ，Ｘは、各サイド天板３０，３０をそれぞれ片側各２本の傾動脚（内側傾動脚４０、外側傾動脚５０）によって横架材７上に連結している。内側傾動脚４０と外側傾動脚５０は、丁番４２，５２によって横架材７上に水平状態（図３）と直立状態（図４）の間で起伏自在に連結されている一方、丁番４１，５１によってサイド天板３０と連結されている。尚、４つの丁番４１，４２，５１，５２は、平行四辺形の各角部に位置している。
【００３７】
そして、各サイド天板３０，３０は、上記平行リンク機構Ｘによって、図３と図４の間で水平姿勢を維持したまま平行移動し得るようになっている。
【００３８】
又、横架材７と内側傾動脚４０（外側傾動脚５０でもよい）との間には、中折れ式のストッパー７０（各サイド天板３０，３０についてそれぞれ一対ある）が介設されており、図４に示すようにサイド天板３０を上前方へ平行移動させたときにそのままの状態で姿勢保持し得るようになっている。
【００３９】
この第１実施例においては、各内側傾動脚４０、外側傾動脚５０の長さは１８０mm程度であり、従って、それらの内側傾動脚４０、外側傾動脚５０が水平状態から直立状態に起立すると、各サイド天板３０，３０は上方且つ前方（センター天板２０の方向）へ水平姿勢を維持したまま約１８０mm（図２、図４の寸法Ｗ）だけセンター天板２０側に平行移動する。尚、凹所１内における各サイド天板３，３０が設置される部分には、該凹所１内に出入りし易くするための踏み台４，４を設けておくとよい（この踏み台４は、不要なときには取り外しておくことができる）。
【００４０】
この第１実施例の堀座卓は、凹所開口部１２の短手部分から人が出入りするのに適したもので、該凹所開口部１２の短手側から凹所１内に出入りするときには、その出入り側のサイド天板３０を持ち上げながら上前方（センター天板２０の方向）へ移動させると、該サイド天板３０が図４のように上前方位置で水平姿勢に維持される。このとき、ストッパー７０が働いて、サイド天板３０が不用意に元（下後方）に戻らないようになっている。
【００４１】
このように、サイド天板３０を図２及び図４に示す上前方に移動させた状態では、当該部分の開口部１２の側縁の直上方がかなりの幅Ｗ（１８０mm）だけ開放されており、凹所１内へ楽に足を差し入れることができる。尚、この第１実施例の場合のように、凹所１内に踏み台４を設けておけば、該踏み台４の上に一旦足を載せてから足を下ろすことによりゆっくりと着座することができる。そして、人が着座したあとは、上前方へ移動させていたサイド天板３０（図２、図４）を手前側へ引き戻せば、該サイド天板３０がセンター天板２０と同一平面状態となり（図１、図３）、センター天板２０とサイド天板３０，３０は全体として一枚の天板２の状態となる。
【００４２】
又、サイド天板３０の移動時には、サイド天板３０が水平姿勢を維持したまま平行移動するので、サイド天板３０の上面に物品（たとえば茶器や菓子皿等）が載っていてもそれらの物品はそのままの状態にしておくことができる。
【００４３】
［図５〜図６に示す第２実施例］
図５〜図６に示す第２実施例のテーブル体Ｂは、凹所１の四隅にそれぞれ支柱６，６・・を立設し、短手方向に位置する一対の支柱６，６（２組ある）の上端部にそれぞれ横架材７を架設しているとともに、該各横架材７，７上に天板２を設置している。尚、この第２実施例では、各支柱６，６・・における長手方向に位置する一対の支柱６，６間には、凹所１内に人が出入りし易くするために横架材を架設していない。
【００４４】
この第２実施例のテーブル体Ｂの天板２は、短手方向を略３等分した１つのセンター天板２０と、該センター天板２０の対向側縁２０ａ，２０ｂに隣接する２つのサイド天板３０，３０とで構成されている。尚、この第２実施例では、センター天板２０及び各サイド天板３０，３０は、それぞれ開口部１２の長手方向長さと同長さ（例えば１２７０mm程度）で、該開口部１２の短幅方向長さの約１／３幅（例えば２３０mm程度）に設定されている。
【００４５】
この第２実施例のテーブル体Ｂの天板２は、長手方向の各端部に位置する各横架材７，７の中央部に、それぞれ受台８（一対ある）を介してセンター天板２０の両端部が固定されている一方、両側の各サイド天板３０，３０をそれぞれ平行リンク機構Ｘ，Ｘによって図５と図６の間で水平姿勢を維持したまま平行移動させ得るようになっている。
【００４６】
ところで、この第２実施例で使用される各平行リンク機構Ｘ，Ｘは、上記第１実施例（図３及び図４）のものと略同構造のものが使用されているが、各サイド天板３０，３０の幅が２３０mm程度なので、内側傾動脚４０及び外側傾動脚５０の長さがそれぞれ８０mm程度しかとれない。従って、この第２実施例のものでは、図６に示すようにサイド天板３０，３０を上前方に移動させたときに、当該部分の開口部１２の側縁の直上方が約８０mm程度（寸法Ｗ′）の開放部分ができる。この場合は、該開放部分（寸法Ｗ′部分）が８０mm程度で比較的狭いが、それでも凹所１内への足の出し入れが楽になる。尚、この第２実施例の平行リンク機構Ｘの構造及び機能の説明は、第１実施例のものを援用する。
【００４７】
この第２実施例でも、中折れ式のストッパー７０（各サイド天板３０，３０についてそれぞれ一対ある）が介設されており、図６に示すようにサイド天板３０を上前方へ平行移動させたときにそのままの状態で姿勢保持し得るようになっている。
【００４８】
この第２実施例の場合は、凹所開口部１２の長手部分から人が出入りするときに適したもので、該凹所開口部１２の長手側から凹所１内に足を差し入れるときには、その差し入れる側のサイド天板３０を持ち上げながら上前方（センター天板２０の方向）へ移動させると、該サイド天板３０が図６のように上前方位置で水平姿勢に維持される。尚、このときストッパー７０が働いて、サイド天板３０が不用意に元（下後方）に戻らない。
【００４９】
このように、サイド天板３０を図６に示す上前方に移動させた状態では、当該部分の開口部１２の側縁の直上方に幅Ｗ′（約８０mm）の開放部分が形成されており、凹所１内への足の出し入れが楽になる。尚、この第２実施例の場合は、凹所１内の長手部分の側縁に踏み台４を設けておけば、該踏み台４の上に一旦足を載せてから足を下ろすことによりゆっくりと着座することができる。そして、人が着座したあとは、上前方へ移動させていたサイド天板３０（図６）を手前側へ引き戻せば、サイド天板３０はセンター天板２０と同一平面状態（図５）となり、センター天板２０とサイド天板３０，３０は全体として一枚の天板２の状態となる。
【００５０】
尚、この第２実施例の場合も、サイド天板３０は水平姿勢を維持したまま平行移動するので、サイド天板３０の上面に物品（たとえば茶器や菓子皿等）が載っていてもそれらの物品はそのままの状態にしておくことができる。
【図面の簡単な説明】
【００５１】
【図１】本願第１実施例の堀座卓の常用状態の斜視図である。
【図２】図１の堀座卓のサイド天板操作時の斜視図である。
【図３】図１の天板部拡大図で、各サイド天板の常用位置の状態図である。
【図４】図２の天板部拡大図で、各サイド天板が上前方置にあるときの状態図である。
【図５】本願第２実施例の堀座卓の常用状態の斜視図である。
【図６】図５の堀座卓のサイド天板操作時の斜視図である。
【図７】従来の堀座卓の一例を示す斜視図である。
【図８】図７におけるVIII−VIII断面図である。
【図９】登録第３１２８３５５号実用新案公報に示されている堀座卓の斜視図である。
【図１０】上記公報に示されている他の先登録例の堀座卓の斜視図である。
【符号の説明】
【００５２】
１は凹所，２は天板、４は踏み台、６は支柱、７は横架材、１１は箱体、１２は開口部、２０はセンター天板、３０はサイド天板、４０は内側傾動脚、４１，４２は丁番、５０は外側傾動脚、５１，５２は丁番、７０はストッパーである。
【図１】
0003137896.tif 000003
【図２】
0003137896.tif 000004
【図３】
0003137896.tif 000005
【図４】
0003137896.tif 000006
【図５】
0003137896.tif 000007
【図６】
0003137896.tif 000008
【図７】
0003137896.tif 000009
【図８】
0003137896.tif 000010
【図９】
0003137896.tif 000011
【図１０】
0003137896.tif 000012